【事件の表示】
　平成　７年特許願第　３５６３８号「メタルクランプを支持プレートに手動で被せ嵌めるための取付け器具」拒絶査定不服審判事件〔平成　８年　２月　６日出願公開、特開平　８−　３４００３〕について、次のとおり審決する。
【結　論】
　本件審判の請求は、成り立たない。
【理　由】
１．手続の経緯及び本件発明
　本件出願は、平成７年２月２３日（パリ条約による優先権主張１９９４年２月２６日、ドイツ）の出願であって、その請求項１乃至４に係る発明は、平成１９年１月１８日付けの手続補正書により補正された明細書及び図面の記載からみて、その特許請求の範囲の請求項１乃至４に記載された事項により特定されるとおりのものと認められるところ、請求項１に係る発明（以下「本件発明」という。）は、次のとおりのものである。
「【請求項１】　積み重ね可能なメタルクランプ（２，２０）を支持プレート（３）に手動で被せ嵌めるための取付け器具であって、互いに積み重ねられるメタルクランプを収容するための縦長のケーシング（１）が設けられていて、該ケーシング（１）はヘッド部で、メタルクランプを取出すための開口部（１０）を有し、脚部で栓（１１）によって閉鎖されており、また、積み重ねられたメタルクランプ積み体を前記開口部に向かって送るように作用する送り手段（１６）が設けられている形式のものにおいて、
　ケーシング（１）が、開かれた端部で、メタルクランプ（２，２０）を送り方向に保持し、かつ被せ嵌め方向に抗して支える手段を有しており、該手段は、送り方向で見て最前列にあるメタルクランプ（２，２０）の位置固定のために２つの堅固な支持部を有しており、即ちこれらの支持部は後ろ側のケーシング壁（１２）と、該ケーシング壁に対して折り曲げられた支持ウエブ（１３）とであって、
　該手段により、メタルクランプ（２，２０）が被せ嵌め位置への到達後に解放されて、即ちこの場合、メタルクランプ（２，２０）が支持プレート（３）に所定の力で被せ嵌められ、このときメタルクランプ（２，２０）のクランプアーム（４，５）によって支持プレート（３）に加えられる保持力により取付け器具引き抜き方向（Ｚ）での取付け器具の運動時に支持プレート（３）に被せ嵌められたメタルクランプ（２，２０）が支持プレート（３）に留まり、この状態でメタルクランプ（２，２０）は取付け器具から引き出され、
　前記取付け器具引き抜き方向（Ｚ）は前記送り方向に対して垂直であって、
　前記開口部（１０）が、前記支持プレート（３）がメタルクランプ（２）に係合するまで開口部（１０）内に導入可能であるように形成されていて、支持ウエブ（１３）のような支持装置が設けられていて、該支持装置は最前列にあるメタルクランプ（２，２０）を、該メタルクランプが支持プレート（３）に係合するまで保持することを特徴とする、メタルクランプを支持プレートに手動で被せ嵌めるための取付け器具。」
　
２．引用刊行物
　これに対して、当審で平成１８年７月１４日付けで通知した拒絶理由には、本件優先権主張日前に頒布された刊行物である、実願昭６０−４５５５８号（実開昭６１−１６３１７５号）のマイクロフィルム（以下「刊行物１」という。）、及び、実願平１−６６３９９号（実開平３−６９８４号）のマイクロフィルム（以下「刊行物２」という。）が引用されており、刊行物１及び２には、以下の技術的事項が記載されている。
　
（１）刊行物１ 
（１−ア）第１頁第１８〜２０行
「この考案は車両の吊り天井の端縁等をクリツプで弾性挟止するときに適用されるクリツプ打込み機に関する。」
　
（１−イ）第４頁第５行〜第５頁第１８行
「次に、クリップ１を被打込み端縁Ｅに打込むためのクリップ打込み機Ｕについて説明すると、クリップ打込み機Ｕの本体６は図示横長状で前後端開放の中空状に形成され、本体６の先端には打出口６ａが開口されるとともに、この本体６内にはクリップ１群をそれぞれ前側に開口部１ａが配置された同一姿勢で整列させて積重ね状態で順送り可能に収納するためにクリップ通路７ａが縦貫されたチャンネル型状のカセット７が脱離可能に装填されている。そして、カセット７内にクリップ１群を装入するときには、第６図に示すクリップ装填装置において、パーツフイーダＰ内から順次送出されたクリップ１を、パーツフイーダＰとカセット受け治具Ｔとの間に傾架されたシユートＳ上を通過させてカセット受け治具Ｔ上に対し傾斜状に乗置されたカセット７内に順次送入すると、クリップ１群をカセット７内に整列状態で収納させることができる。
　カセット７の一側方で本体６内に対し折り返し状に横架されたガイド棒８の図示右部付近にはスプリング９がほぼ横Ｕ型状に湾曲した状態で巻装されている。
　スプリング９の一端に当接して前方へ付勢されたプッシャ１０は最後端のクリップ１に対接してクリップ１群を前方へ押動するために下端部がガイド棒８に対し前後方向へのスライドおよび回動可能に嵌挿されかつ上端部がカセット７のクリップ通路７ａ内に係入され、カセット７内のクリップ１群は常にはプツシヤ１０で前方へ押圧される。
　ガイドプレート１１はクリップ１を被打込み端縁Ｅに向つて打込むときに同端縁Ｅに摺接して本体６の前進を案内するために本体６の前端の図示上側に付設され、その下端縁１１ａがクリップ通路７ａの上面と整合されるように配置されている。
　
（１−ウ）第５頁第１９行〜第６頁第１７行
「本体６の前端付近の図示上側にピン１３を介して上下方向への揺動可能に支持された逆止爪１２は同逆止爪１２の後端付近に圧接された上板ばね１４で常には図示反時計方向へ付勢され、この逆止爪１２の前端には本体６を前方へ押動して先頭のクリップ１を被打込み端縁Ｅに打込むときにクリップ１の上側段差部２に当接して先頭のクリップ１の後退を規制するために先頭のクリップ１に対し係脱可能に対置されかつクリップ通路７ａの前端付近に突入された左右１対の爪片１２ａ，１２ａがそれぞれ下向き状に突設されていて、この両爪片１２ａは先頭のクリップ１を打込んでから本体６を引戻すときに次続クリップ１で押上げられてクリップ通路７ａ内から一時的に退避し（第８図ハ参照）、次続クリップ１が前進に到達した状態では再びクリップ通路７ａ内に突入して当該クリップ１の上側段差部２に当接し、当該クリップ１後退が規制される（第８図(ニ)参照）。
　
（１−エ）第６頁第１８行〜第７頁第１５行
「本体６の前端付近の図示下側にピン１６を介して上下方向への揺動可能に支持された抜止爪１５はこの抜止爪１５の後端付近に圧接された下板ばね１７で常には図示時計方向へ付勢され、この抜止爪１５の前端にはクリップ１の非打込み時に先頭クリップ１の両係止部５にそれぞれ係合して同クリップ１の前方への飛出しを規制するために先頭クリップ１に対し係脱可能に対置されかつクリップ通路７ａ内の前端付近に突入された左右１対の爪片１５ａ，１５ａがそれぞれ上向き状に突設されていて、本体６を前進させて先頭クリップ１を被打込み端縁Ｅに打込んだ状態では両爪片１５ａは被打込み端縁Ｅで押下げられてクリップ通路７ａ内から一時的に退避し（第８図(ハ)参照）、次続クリップ１の前進端への前進途中で同次続クリップ１の両係止部５に対し自動的に係合してクリップ１群の飛出しが規制される（第８図(ニ)参照）。」
　
（１−オ）第８図（イ）〜（ニ）によれば、クリップが被打込み端縁Ｅに所定の力で被せ嵌められ、このときクリップの両側片１ｂによって加えられる保持力により打込み機引き抜き方向での打込み機の運動時に被打込み端縁Ｅに被せ嵌められたクリップが被打込み端縁Ｅに留まり、この状態でクリップは打込み機から引き出されることが看取できる。
　
　上記記載事項を技術常識を勘案しながら本件発明に照らして整理すると、刊行物１には次の発明（以下「刊行物１記載の発明」という。）が記載されていると認められる。
「積み重ね可能なクリップを被打込み端縁Ｅに被せ嵌めるための打込み機であって、互いに積み重ねられるクリップを収容するための縦長の本体６が設けられていて、該本体６は、クリップを取出すための打出口６ａを有し、また、積み重ねられたクリップ積み体を前記打出口６ａに向かって送るように作用するプッシャ１０及びスプリング９が設けられている形式のものにおいて、
　本体６が、開かれた端部で、クリップを送り方向に保持し、かつ被せ嵌め方向に抗して支える手段を有しており、該手段は抜止爪１５及び逆止爪１２であって、
　該手段により、クリップが被せ嵌め位置への到達後に解放されて、即ちこの場合、クリップが被打込み端縁Ｅに所定の力で被せ嵌められ、このときクリップの両側片１ｂによって加えられる保持力により打込み機引き抜き方向での打込み機の運動時に被打込み端縁Ｅに被せ嵌められたクリップが被打込み端縁Ｅに留まり、この状態でクリップは打込み機から引き出され、
　前記打出口６ａが、前記被打込み端縁Ｅがクリップに係合するまで打出口６ａ内に導入可能であるように形成されていて、抜止爪１５のような支持装置が設けられていて、該支持装置は最前列にあるクリップを、該クリップが被打込み端縁Ｅに係合するまで保持する、クリップを被打込み端縁Ｅに被せ嵌めるための打込み機。」 
　
（２）刊行物２ 
（２−ア）第１頁第１４〜１７行
「本考案は、互いに連設した一対の挟持部片から成り、挟持部片の側端に設けた耳部片を利用して挟持部片を開閉させ紙シートを綴じるクリップの紙綴じ器に関するものである。」
　
（２−イ）第３頁第６〜１２行
「図面は本考案に係るクリップ用紙綴じ器の一実施例を示し、図中１は綴じ器本体、２は該本体１の先端側に設けた紙Ｓの挿入切欠で、挿入切欠２は下部においてクリップホルダー３の収納室４と連通させ、該収納室４の底板５の先端を前記挿入切欠２の底板部２’と成し、この底板部２’の中央に透孔６を設けてある。」
　
（２−ウ）第４頁第５行〜第５頁第１８行
「前記のクリップホルダー１３（当審注：「３」の誤記と認められる。）は前記本体１の後部から前記収納室４に収脱自在に摺嵌すると共に、先端を開口して設けた抜出口部１７を操作材７に設けた切欠１２に係合し、底部片１８のＬ字形の先端部片１８’を前記切欠１２を貫通させて切欠１２より突出させ、前端部片１８’の立ち上り部片で構成する規制部片１９と操作材７の主体部片８との間にクリップ３０が介在するようにしてある。
　クリップ３０は、クリップホルダー１３（同上）の後部に廃したスプリングによって抜出口１７に順次押送されるようにホルダー１３（同上）に並べて装填され、第８図で示すように、弾性金属板を屈曲して形成され、方形状の第一挟持部片３１と第一挟持部片３１より横幅を狭くした第二挟持部片３２とから成り、第二挟持部片３２の先端両側に耳部片３３，３３を突設したもので、各挟持部片３１，３２の自由端（開閉端）側を上方に向けて配され、耳部片３３，３３は前記操作材７に設けた拡開片１４の傾斜部片１４”の縦動軌跡上に配してある。」
　
（２−エ）第１，４，５図の記載によれば、クリップホルダー３はヘッド部で、クリップ３０を取出すための抜出口１７を有し、前記抜出口１７が、前記紙Ｓがクリップに係合するまで抜出口１７内に導入可能であるように形成されていることが看取できる。また、同図の記載によれば、クリップホルダー３が、開かれた端部で、クリップ３０を送り方向に保持し、かつ被せ嵌め方向に抗して支える手段を有しており、該手段は、前端部片１８’と、前端部片１８’に対して折り曲げられた規制部片１９とであることが看取できる。
　
（２−オ）第６，７図の記載によれば、クリップ３０が紙Ｓに所定の力で被せ嵌められ、このときクリップ３０の挟持部片３１，３２によって紙Ｓに加えられる保持力により上方への紙Ｓの運動時に紙Ｓに被せ嵌められたクリップ３０が紙Ｓに留まり、この状態でクリップ３０はクリップホルダー１３から引き出されることが看取できる。また、紙Ｓの運動方向は、クリップ３０の送り方向に対して垂直であることが明らかである。
　
　上記記載事項を技術常識を勘案しながら本件発明に照らして整理すると、刊行物２には次の発明（以下「刊行物２記載の発明」という。）が記載されていると認められる。
「積み重ね可能なクリップ３０を紙Ｓに手動で被せ嵌めるための紙綴じ器であって、互いに積み重ねられるクリップ３０を収容するためのクリップホルダー３が設けられていて、該クリップホルダー３はヘッド部で、クリップ３０を取出すための抜出口１７を有し、また、積み重ねられたクリップ積み体を前記抜出口１７に順次押送するように作用するスプリングが設けられ、クリップ３０の挟持部片３１，３２を拡開する手段が設けられており、
　クリップホルダー３が、開かれた端部で、クリップ３０を送り方向に保持し、かつ被せ嵌め方向に抗して支える手段を有しており、該手段は、前端部片１８’と、前端部片１８’に対して折り曲げられた規制部片１９とであって、
　該手段により、クリップ３０が被せ嵌め位置への到達後に解放されて、クリップ３０が紙Ｓに所定の力で被せ嵌められ、このときクリップ３０の挟持部片３１，３２によって紙Ｓに加えられる保持力により上方への紙Ｓの運動時に紙Ｓに被せ嵌められたクリップ３０が紙Ｓに留まり、この状態でクリップ３０はクリップホルダー１３から引き出され、
　前記紙Ｓの運動方向は前記送り方向に対して垂直であって、
　前記抜出口１７が、前記紙Ｓがクリップ３０に係合するまで抜出口１７内に導入可能であるように形成されていて、規制部片１９のような支持装置が設けられていて、該支持装置は最前列にあるクリップ３０を、該クリップ３０が紙Ｓに係合するまで保持する、クリップを紙Ｓに手動で被せ嵌めるための紙綴じ器。」
　
３．刊行物２記載の発明との対比・判断
（１）対比
　本件発明と刊行物２記載の発明とを対比すると、刊行物２記載の発明における「クリップ３０」は本件発明における「メタルクランプ（２）」に相当し、以下同様に、「クリップホルダー３」は「ケーシング」に、「抜出口１７」は「開口部」に、「スプリング」は「送り手段」に、「クリップ３０の挟持部片３１，３２」は「メタルクランプのクランプアーム」に、それぞれ相当する。
　また、刊行物２記載の発明における「前端部片１８’」と「前端部片１８’に対して折り曲げられた規制部片１９」は、送り方向で見て最前列にあるメタルクランプの位置固定のために２つの堅固な支持部をなしているということができ、それぞれ本件発明における「後ろ側のケーシング壁」と「該ケーシング壁に対して折り曲げられた支持ウエブ」に相当している。
　そして、刊行物２記載の発明における「紙Ｓ」は、被装着物という限りで本件発明における支持プレートと共通している。
　また、刊行物２記載の発明は、紙綴じ器であるが、クリップを被装着物に手動で被せ嵌めるための取付け器具とも表現することができるものである。
　さらに、刊行物２記載の発明においてクリップ３０が引き出される被装着物の上方への運動は、相対的な引き抜き方向での取付け器具の運動ということができるものである。
　したがって、両者の一致点と相違点は次のとおりと認められる。
［一致点］
「積み重ね可能なメタルクランプを被装着物に手動で被せ嵌めるための取付け器具であって、互いに積み重ねられるメタルクランプを収容するための縦長のケーシングが設けられていて、該ケーシングはヘッド部で、メタルクランプを取出すための開口部を有し、また、積み重ねられたメタルクランプ積み体を前記開口部に向かって送るように作用する送り手段が設けられている形式のものにおいて、
　ケーシングが、開かれた端部で、メタルクランプを送り方向に保持し、かつ被せ嵌め方向に抗して支える手段を有しており、該手段は、送り方向で見て最前列にあるメタルクランプの位置固定のために２つの堅固な支持部を有しており、即ちこれらの支持部は後ろ側のケーシング壁と、該ケーシング壁に対して折り曲げられた支持ウエブとであって、
　該手段により、メタルクランプが被せ嵌め位置への到達後に解放されて、即ちこの場合、メタルクランプが被装着物に所定の力で被せ嵌められ、このときメタルクランプのクランプアームによって被装着物に加えられる保持力により取付け器具の相対的な引き抜き方向での取付け器具の運動時に被装着物に被せ嵌められたメタルクランプが被装着物に留まり、この状態でメタルクランプは取付け器具から引き出され、
　前記取付け器具の相対的な引き抜き方向は前記送り方向に対して垂直であって、
　前記開口部が、前記被装着物がメタルクランプに係合するまで開口部内に導入可能であるように形成されていて、支持ウエブのような支持装置が設けられていて、該支持装置は最前列にあるメタルクランプを、該メタルクランプが被装着物に係合するまで保持する、メタルクランプを被装着物に手動で被せ嵌めるための取付け器具。」である点。
［相違点１］
　本件発明では、メタルクランプ（２，２０）を支持プレート（３）に被せ嵌めるための取付け器具であり、該取付け器具の引き抜き方向での運動時にメタルクランプが取付け器具から引き出されるのに対し、刊行物２記載の発明では、クリップを紙Ｓに被せ嵌めるための紙綴じ器であり、クリップの挟持部片を拡開する手段が設けられており、紙Ｓの上方への運動時にクリップが取付け器具から引き出されるものである点。
［相違点２］
　本件発明では、ケーシング（１）は、脚部で栓（１１）によって閉鎖されているのに対し、引用発明２では、そのようなものであるか否か明らかでない点。
　
（２）相違点についての検討
ア　相違点１について
　刊行物２に記載の発明は紙綴じ器であるが、被装着物としては平板状物であれば紙Ｓに限定されることなく適用できることは明らかであるとともに、刊行物２に記載の発明を、支持プレート（平板状物）への被せ嵌めに適用できないとする特段の理由も発見しない。
　したがって、刊行物２に記載の発明をメタルクランプを支持プレートに被せ嵌めるための取付け器具とすることに困難性は見当たらない。
　
　なお、請求人は、平成１９年１月１８日付け意見書において、「引用発明２のものは、紙を綴じるためにクリップを固定するために、複雑な拡開片１４を使用しております。この拡開片１４は、紙をクリップに挿入する際に、刊行物２の第４図〜第７図に示されたように、紙と共にクリップ３０内に沈み込み、クリップ３０を拡開させ、クリップ３０紙に固定させてから、クリップ３０から外れて再び初期位置に戻るといった複雑な動きをするものであります。本願発明の取付け器具の構成は簡単なものであり、このような煩雑な拡開片のような構成は本願発明のものでは必要ありません。」と主張している。
　しかしながら、刊行物２に記載の発明は、上記のとおり、被装着物としては平板状物であれば紙Ｓに限定されることなく適用できることは明らかである。そして、剛性を有する平板状物に用いる場合にはクリップを拡開するための手段を必要としないことも自明の事項であり、支持プレートへの適用に当たって前記拡開するための手段を省くことは当業者が容易になし得たことである。
　よって、請求人の上記主張は採用することができない。
　
イ　相違点２について
　メタルクランプ等を収容するケーシングの開口部とは逆の端部を閉鎖したものは従来周知であるとともに、栓で閉鎖することも普通に採用する設計的事項にすぎない。　 
　
　そして、本件発明の作用効果についてみても、刊行物２に記載の発明及び周知の事項から当業者が十分予測しうる範囲内のものであって、格別顕著なものとはいえない。
　
　よって、本件発明は、刊行物２に記載の発明及び周知の事項に基づいて当業者が容易に発明をすることができたものである。
　
４．刊行物１記載の発明との対比・判断
　本件発明は、刊行物１記載の発明との対比においても進歩性を有しないので、以下にその理由を示す。
（１）対比
　本件発明と刊行物１記載の発明とを対比すると、刊行物１記載の発明「クリップ」は本件発明における「メタルクランプ（２０）」に相当し、以下同様に、「本体６」は「ケーシング」に、「被打込み端縁Ｅ」は「支持プレート」に、「打出口６ａ」は「開口部」に、「プッシャ１０及びスプリング９」は「送り手段」に、「クリップの両側片１ｂ」は「メタルクランプのクランプアーム」に、相当することが明らかである。 
　また、刊行物記載の発明は「打込み機」と表現されているが、「取付け器具」とも表現することができるものである。
　したがって、両者の一致点と相違点は次のとおりと認められる。
［一致点］
「積み重ね可能なメタルクランプを支持プレートに被せ嵌めるための取付け器具であって、互いに積み重ねられるメタルクランプを収容するための縦長のケーシングが設けられていて、該ケーシングはヘッド部で、メタルクランプを取出すための開口部を有し、また、積み重ねられたメタルクランプ積み体を前記開口部に向かって送るように作用する送り手段が設けられている形式のものにおいて、
　ケーシングが、開かれた端部で、メタルクランプを送り方向に保持し、かつ被せ嵌め方向に抗して支える手段を有しており、
　該手段により、メタルクランプが被せ嵌め位置への到達後に解放されて、即ちこの場合、メタルクランプが支持プレートに所定の力で被せ嵌められ、このときメタルクランプのクランプアームによって支持プレートに加えられる保持力により取付け器具引き抜き方向での取付け器具の運動時に支持プレートに被せ嵌められたメタルクランプが支持プレートに留まり、この状態でメタルクランプは取付け器具から引き出され、
　前記開口部が、前記支持プレートがメタルクランプに係合するまで開口部内に導入可能であるように形成されていて、支持装置が設けられていて、該支持装置は最前列にあるメタルクランプを、該メタルクランプが支持プレートに係合するまで保持する、メタルクランプを支持プレートに被せ嵌めるための取付け器具。」である点。
［相違点３］ 
　本件発明では、メタルクランプ（２，２０）を支持プレート（３）に手動で被せ嵌めるための取付け器具であるのに対し、刊行物１記載の発明では、クリップを被打込み端縁Ｅに被せ嵌めるための打込み機であり、手動であるか否か明らかでない点。 
［相違点４］ 
　本件発明では、ケーシング（１）は、脚部で栓（１１）によって閉鎖されているのに対し、刊行物１記載の発明では、そのように特定されていない点。 
［相違点５］ 
　本件発明では、取付け器具引き抜き方向（Ｚ）は前記送り方向に対して垂直であって、開かれた端部で、メタルクランプを送り方向に保持し、かつ被せ嵌め方向に抗して支える手段が、「該手段は、送り方向で見て最前列にあるメタルクランプ（２，２０）の位置固定のために２つの堅固な支持部を有しており、即ちこれらの支持部は後ろ側のケーシング壁（１２）と、該ケーシング壁に対して折り曲げられた支持ウエブ（１３）とであって」、最前列にあるメタルクランプを、該メタルクランプが支持プレートに係合するまで保持する支持装置が、「支持ウエブ（１３）」のようなものであるのに対し、刊行物１記載の発明では、取付け器具引き抜き方向は前記送り方向と同じであって、被せ嵌め方向に抗して支える手段が逆止爪１２であり、支持装置が抜止爪１５である点。 
 　 
（２）相違点についての検討
ア　相違点３について
　刊行物１記載の発明に係るクリップの打込み機を、プレート状部材へ手動での被せ嵌めに適用できないとする特段の理由もないから、刊行物１記載の発明を支持プレート（３）に手動で被せ嵌めるための取付け器具とすることに格別困難性は見当たらない。 
　
イ　相違点４について
　メタルクランプ等を収容するケーシングの開口部とは逆の端部を閉鎖したものは従来周知であるとともに、栓で閉鎖することも普通に採用する設計的事項にすぎない。 
　
ウ　相違点５について
　取付け器具引き抜き方向をメタルクランプの送り方向に対してどの方向とするかは、メタルクランプ及び被装着物の形状等に応じて当業者が適宜設定することのできる事項であり、刊行物１記載の発明において引き抜き方向を前記送り方向と垂直とすることには格別困難性は見出せない（なお、刊行物１記載の発明において、打込み機の前端に設けられるガイドプレート１１等は必要がなければ省略できることは明らかである。）。
　そして、「該手段」及び「支持装置」としては、メタルクランプを送り方向に保持し、かつ被せ嵌め方向に抗して支えることのできるもの、及び、最前列にあるメタルクランプを、該メタルクランプが支持プレートに係合するまで保持することのできるものであればそれぞれ適宜の手段を採用できることは明らかであるから、上記相違点５に係る本件発明の特定事項は、メタルクランプ及び被装着物の形状等に応じて当業者が適宜設定することのできた事項にすぎない。
　
　また、本件発明の作用効果についてみても、刊行物１に記載の発明及び従来周知の事項から当業者が十分予測しうる範囲内のものであって、格別顕著なものとはいえない。
　
　よって、本件発明は、刊行物１に記載の発明及び従来周知の事項に基づいて当業者が容易に発明をすることができたものである。
　
　なお、請求人は、上記意見書において、「引用発明１のものは本願発明とは異なり、取付け器具引き抜き方向Ｚはクリップの送り方向に対して垂直ではなく、整合する方向であります。また、本願発明の支持装置が２つの堅固な支持部、即ち後ろ側のケーシング壁１２と、該ケーシング壁に対して折り曲げられた支持ウエブ１３とを有しているのに対し、引用発明１では、相当する支持装置は抜止爪１５であります。引用発明２のものには、本願発明における支持ウエブ１３のような規制部片１９が設けられておりますが、引用発明１において、抜止爪１５に代えて引用発明２の規制部片１９を採用した場合、引用発明１のものではクリップの送り方向と取付け器具引き抜き方向Ｚが整合していることにより、このような規制部片１９により支持プレート３をクリップに挿入することも不可能となり、ひいては取付け器具を引き抜く際にクリップを引き抜くこともできなくなります。従って、引用発明１の抜止爪１５に代えて引用発明２の規制部片１９を採用することはできません。」と主張している。
　しかしながら、上述したとおり、取付け器具引き抜き方向をメタルクランプの送り方向に対してどの方向とするかは、メタルクランプ及び被装着物の形状等に応じて当業者が適宜設定することのできる事項であり、刊行物１記載の発明において引き抜き方向を前記送り方向と垂直とすることには格別困難性は見出せず、また、「該手段」及び「支持装置」についても、メタルクランプを送り方向に保持しかつ被せ嵌め方向に抗して支えることのできるもの、及び、最前列にあるメタルクランプを該メタルクランプが支持プレートに係合するまで保持することのできるものであればそれぞれ適宜の手段を採用できることは明らかである。
　ところで、本件の請求項１の記載では、メタルクランプを送り方向に保持し、かつ被せ嵌め方向に抗して支える手段が、「送り方向で見て最前列にあるメタルクランプ（２，２０）の位置固定のために２つの堅固な支持部を有しており、即ちこれらの支持部は後ろ側のケーシング壁（１２）と、該ケーシング壁に対して折り曲げられた支持ウエブ（１３）」とされている。本件発明は、図６〜９に記載されたメタルクランプ（２０）の場合の実施例を含むものであるが、メタルクランプ（２０）の場合には、特に、本件請求項４の記載、本件明細書段落【００１８】、及び図６〜９の記載から明らかなように、ヘッド部に位置するメタルクランプ（２０）を被せ嵌め方向に支えるのは「つめ（２３）」であって、「後ろ側のケーシング壁（１２）」及び「」支持ウエブ（１３）」ではない。すなわち、「２つの堅固な支持部、即ち後ろ側のケーシング壁（１２）と、該ケーシング壁に対して折り曲げられた支持ウエブ（１３）」がメタルクランプ（２０）を送り方向に保持し、かつ被せ嵌め方向に抗して支えるものではないから、上記「２つの堅固な支持部」が、メタルクランプ（２０）の場合でも送り方向に保持し、かつ被せ嵌め方向に抗して支えるとしていることに基づく上記主張には根拠がない。
　よって、請求人の上記主張は採用することができない。
　
５．むすび
　以上のとおり、本件発明は、刊行物１乃至２に記載の発明及び従来周知の事項に基づいて当業者が容易に発明をすることができたものであり、特許法第２９条第２項の規定により特許を受けることができないものである。
　したがって、本件出願のその余の請求項に係る発明について検討するまでもなく、本件出願は拒絶されるべきものである。
　よって、結論のとおり審決する。